(57)【要約】【課題】制動力の低下を抑えながらアンカーピン位置のドラム径方向ばらつきに起因したブレーキシューの引き摺りが抑制されるようにしてアンカーピンの高精度加工を不要にし、それによって製造コストを低減することを課題としている。【解決手段】デュオサーボ型ドラムブレーキに採用される一対のブレーキシュー２，３の一端に、ドラム軸方向及びストラット長手方向に対して共に直角向きに延びるストレート面２ｄ、３ｄを設けた。また、ピボットアンカーに利用されている断面円形のアンカーピン５を使用し、前記ストレート面２ｄ、３ｄをこのアンカーピン５の外周円筒面に当接させてフローティングアンカーを構成し、それによってアンカーピン５の高精度仕上げを不要にした。【選択図】図１
2007056888.tif 000002
【特許請求の範囲】
【請求項１】
対向配置した一対のブレーキシュー（２，３）の一端側にストラット（７）を、他端側にアジャスタ（６）をそれぞれ嵌合させ、さらに、この対のブレーキシュー（２，３）の一端を復帰スプリング（８）でアンカーピン（５）に引きつけ、片方のブレーキシュー（３）のストラット嵌合部よりも一端側にパーキングレバー（９）をドラム軸方向のピン（１２）で結合させ、前記パーキングレバー（９）をパーキングケーブル（１０）で引き動かしてブレーキシュー（２，３）に入力を加える駐車ブレーキ専用のデュオサーボ型ドラムブレーキにおいて、前記ブレーキシュー（２，３）の一端に、ドラム軸方向及びストラット長手方向の両方に対して共に直角向きに延びるストレート面（２ｄ，３ｄ）を設け、このストレート面（２ｄ，３ｄ）を前記アンカーピン（５）の外周円筒面に当接させたことを特徴とするデュオサーボ型ドラムブレーキ。
【請求項２】
前記復帰スプリング（８）の一端を一方のブレーキシュー（２）に、他端を他方のブレーキシュー（３）にそれぞれ係止させ、対のブレーキシュー（２，３）に対して１本のスプリングで復帰力を与えるようにしたことを特徴とする請求項１に記載のデュオサーボ型ドラムブレーキ。
【発明の詳細な説明】
【技術分野】
【０００１】
この発明は、駐車ブレーキ専用のデュオサーボ型ドラムブレーキ、詳しくは、円形断面のアンカーピンを使用しながらそのアンカーピンの高精度加工を不要にして製造コストを低減したデュオサーボ型ドラムブレーキに関する。
【背景技術】
【０００２】
周知のデュオサーボ型ドラムブレーキの中に、下記特許文献１，２に開示されるものがある。特許文献１，２が開示しているデュオサーボ型ドラムブレーキは、いずれも、アンカーピンを有するアンカー固定型であり、アンカーピンとして丸断面のピンを用い、アンカーピン周りにブレーキシューを回転させてシューをドラムの内周面に押し当てる構造になっている。この構造のアンカーはピボットアンカーと称されている。
【０００３】
ところで、ピボットアンカーを採用したドラムブレーキは、アンカーピンの位置がドラム径方向にばらつくと、ブレーキシューの一端側と他端側で所謂引き摺り（ブレーキを解除しているときにブレーキシューがドラムに接触する現象）が発生する。そこで、その不具合を回避するために、従来は、アンカーピンをバッキングプレートに固定した後にこのアンカーピンの精度が要求される箇所を仕上げ加工する方法や、フォールオフを大きくする方法が採られていた。
【０００４】
前者の方法の概要を図４に示す。この方法では、アンカーピン５がバッキングプレート１にまだ取り付けられていないときに、アンカーピン５のブレーキシューが係合する図のＢ部を先ず荒加工する。その後、このアンカーピン５のリベット部を潰してアンカーピン５をバッキングプレート１に固定する。この後、アンカーピン５のＢ部を仕上げ加工し、バッキングプレート中心からアンカーピン中心までの寸法Ａを確保する。
【０００５】
しかしながら、この方法は、アンカーピン５をバッキングプレート１に固定した状態で仕上げ加工を行うので、生産性が悪く、製造コストが高くつく。
【０００６】
図５は、フォールオフの解説図である。ドラム１１の内径（半径ｒ１）とブレーキシュー（図は一方のブレーキシュー３のみを開示）の外径（半径ｒ２）との差（ｒ１−ｒ２）がフォールオフと称される。このフォールオフを大きくすると、ドラムとブレーキシューとの間の図４のＣ部やＤ部における隙間が大きくなって引き摺りが抑制される。しかし、この方法を採ると、ドラムとブレーキシューの接触面積が減少して制動力が低下する。
【０００７】
特許文献１，２は、上記の問題の解決策については何も示していない。
【特許文献１】特開平９−１９６０９１号公報
【特許文献２】特開平１１−１８２５９３号公報
【発明の開示】
【発明が解決しようとする課題】
【０００８】
この発明は、制動力の低下を抑え、その上で、アンカーピン位置のドラム径方向ばらつきの影響を受けないようにしてアンカーピンの高精度加工を不要にし、それによって製造コストを低減することを課題としている。また、同時に、対のブレーキシューの作動後の復帰を１本の復帰スプリングで行えるようにすることも課題としている。
【課題を解決するための手段】
【０００９】
上記の課題を解決するため、この発明においては、ピボットアンカーに利用されているアンカーピンを使用してフローティングアンカー型のデュオサーボ型ドラムブレーキを構成する。
具体的には、対向配置した一対のブレーキシューの一端側にストラットを、他端側にアジャスタをそれぞれ嵌合させ、さらに、この対のブレーキシューの一端を復帰スプリングでアンカーピンに引きつけ、片方のブレーキシューのストラット嵌合部よりも一端側にパーキングレバーをドラム軸方向のレバーピンでピボット結合させ、前記パーキングレバーをパーキングケーブルで引き動かしてブレーキシューに入力を加える駐車ブレーキ専用のデュオサーボ型ドラムブレーキにおいて、前記ブレーキシューの一端に、ドラム軸方向及びストラット長手方向に対して共に直角向きに延びるストレート面を設け、このストレート面を前記アンカーピンの外周円筒面に当接させるようにした。
【００１０】
このように構成したこの発明のデュオサーボ型ドラムブレーキは、シューを復帰させるスプリングの一端を一方のブレーキシューに、他端を他方のブレーキシューにそれぞれ係止させて対のブレーキシューに対して１本のスプリングで復帰力を与えることが可能になる。
【発明の効果】
【００１１】
ブレーキシューの一端に設けたストレート面をアンカーピンの外周円筒面に当接させると、ブレーキシューにドラム中心方向への動きの自由度が与えられ、フローティングアンカーが構成される。フローティングアンカーはブレーキシューのセルフセンタリング作用が得られ、ブレーキをかけたときにブレーキシューがドラムの内径にならって落ち着くため、アンカーピンに高精度が要求されない。従って、ドラムへの取り付け後にアンカーピンを仕上げ加工する必要がなくなり、生産性の低下を抑えて製造コストを低減することが可能になる。
【００１２】
また、フォールオフを大きくする必要がないため、ドラムとブレーキシューの接触面積
を大きく確保することができ、制動力の低下も回避できる。
【００１３】
さらに、一般的なピボットアンカーの場合、対のブレーキシューを個々にアンカーピン側に引きつける必要があるので、シューの復帰スプリングを２本に分けて設置する必要があるが、フローティングアンカーではブレーキシューの一端側を互いに引き寄せられる方向に引きつければよいので対のブレーキシューに１本の復帰スプリングで復帰力を加えることができ、部品数の削減、組み付け工数の削減を図ってコスト削減の効果をさらに高めることも可能になる。
【００１４】
なお、従来のフローティングアンカーは、バッキングプレートに固定されたアンカーブロックの両側面にブレーキシューの曲面に形成した一端面を当接させる構造であり、アンカーブロックは回転防止のために複数本のアンカーリベットでバッキングプレートに固定している。これに対し、この発明ではアンカーとしてアンカーピンを使用したので、アンカーの簡素化、小型化、製造の容易化、取り付け工数削減などが図れる。
【発明を実施するための最良の形態】
【００１５】
以下、この発明のデュオサーボ型ドラムブレーキの実施の形態を添付図面の図１〜図３に基づいて説明する。図１の１はバッキングプレート、２，３は対向配置された一対のブレーキシュー、４はシューホールドダウン、５はアンカーピン、６はアジャスタ、７はブレーキシュー２，３間に渡されたストラット、８はブレーキシュー２，３の復帰スプリング、９はパーキングレバー、１０は駐車ブレーキの入力をパーキングレバー９に伝達するパーキングケーブル、１１はドラムである。
【００１６】
ブレーキシュー２，３は、円弧状に湾曲したリム部２ａ，３ａとウェブ２ｂ，３ｂを有し、リム部２ａ，３ａの外周にライニング２ｃ，３ｃを貼り付けている。このブレーキシュー２，３の一端には、ドラム軸方向及びストラット長手方向に対して共に直角向きに延びるストレート面２ｄ，３ｄを設けており、このストレート面２ｄ，３ｄをアンカーピン５の外周円筒面に当接させて各ブレーキシュー２，３の制動トルクをアンカーピン５で受け止めるようにしている。
【００１７】
シューホールドダウン４は、カップとピンと圧縮スプリング（いずれも図示せず）を組み合わせた周知のシュー保持手段である。対のブレーキシュー２，３は、このシューホールドダウン４によってバッキングプレート１に押し付けられ、その状態で外側に開く方向への回転と、戻り方向回転が許容されるように保持されている。
【００１８】
アンカーピン５は、断面円形のピンであり、そのピンの基端側はバッキングプレート１に固定される。図のアンカーピン５は、基端側に設けたリベット部５ａをプレスで潰してバッキングプレート１に固定している。また、このアンカーピン５の先端部には、ブレーキシュー２，３の一端側をガイドする鍔状のガイド板５ｂを取り付けている。
【００１９】
アジャスタ６は、各ブレーキシュー２，３とドラム１１との間の隙間を調整する周知の機構である。
【００２０】
ストラット７は、ブレーキシュー２，３の一端近傍に対向して設けた切り欠き溝２ｅ，３ｅに両端を係合させている。また、このストラット７は、ブレーキシュー３の一端近傍においてパーキングレバー９に切り欠き溝９ａを設けてその切り欠き溝９ａにも係合させている。
【００２１】
復帰スプリング８は、一端を一方のブレーキシュー２に、他端を他方のブレーキシュー３にそれぞれ係合させ、対のブレーキシュー２，３に対する復帰力の付与を１本のスプリングで行うようにしている。この構造によれば、部品数と組み付け工数を削減して製造コストを削減することができる。
【００２２】
パーキングレバー９は、ストラット７が嵌合した部分よりも一端側に配置するドラム軸方向のレバーピン１２でブレーキシュー３にピボット結合させている。このパーキングレバー９は、他端側をパーキングケーブル１０によってドラム軸と直角方向（車両の前進方向）に引き動かす。これにより、ストラット７との係合部を支点にしてパーキングレバー９が回転し、レバーピン１２による結合部が変位してブレーキシュー３の一端がアンカーピン５から引き離される方向に動く。このようにしてブレーキシュー３がドラム１１の摺動面に押し付けられ、そのために、もう一方のブレーキシュー２も作動してドラム１１の摺動面に押し付けられる。また、車両の前進制動でのドラム回転方向が例えば図１の矢印方向である場合、前進回転方向のトルクが加わるとドラムに押し付けられたブレーキシュー２，３がドラムと共に前進回転方向にわずかに回転してブレーキシュー３の一端がアンカーピン５に当たり、以後、アンカーピン５によって制動トルクが受け止められる。
【００２３】
上記の構成とした実施例のデュオサーボ型ドラムブレーキは、アンカーをフローティングアンカーにしたため、ブレーキシュー２，３にドラム中心方向（図は上下方向）への動きの自由度が与えられる。そのために、各ブレーキシュー２，３をドラム１１の内径にならって落ち着かせるセルフセンタリング作用が得られ、アンカーピン５に高精度が要求されなくなる。従って、ドラム取り付け後のアンカーピンの仕上げ加工が不要になり、生産性の低下が抑えられて製造コストが低減される。また、フォールオフを大きくせずにブレーキシューの引き摺りを防止することができ、フォールオフが大きいことに起因した制動力の低下も起こらない。
【００２４】
なお、この発明のデュオサーボ型ドラムブレーキに採用するブレーキシュー２，３は、
図示のＴ型断面のシューに限定されない。リム部の両側縁に内フランジ状のウェブを設けた断面がコの字をなすシュー（図示せず）もあり、そのようなものも、一端に図２のストレート面２ｄ、３ｄを形成して使用することができる。
【図面の簡単な説明】
【００２５】
【図１】この発明のデュオサーボ型ドラムブレーキの一例を示す正面図
【図２】アンカーピンとブレーキシューの係合部を拡大して示す断面図
【図３】図１のＸ−Ｘ線に沿った位置の拡大断面図
【図４】従来のデュオサーボ型ドラムブレーキにおけるアンカーピン加工の概要を示す図
【図５】フォールオフの解説図
【符号の説明】
【００２６】
１            バッキングプレート
２，３        ブレーキシュー
２ａ，３ａ    リム部
２ｂ，３ｂ    ウェブ
２ｃ，３ｃ    ライニング
２ｄ，３ｄ    ストレート面
２ｅ，３ｅ    切り欠き溝
４            シューホールドダウン
５            アンカーピン
５ａ          リベット部
５ｂ          ガイド板
６            アジャスタ
７            ストラット
８            復帰スプリング
９            パーキングレバー
９ａ          切り欠き溝
１０          パーキングケーブル
１１          ドラム
１２          レバーピン
【図１】
2007056888.tif 000003
【図２】
2007056888.tif 000004
【図３】
2007056888.tif 000005
【図４】
2007056888.tif 000006
【図５】
2007056888.tif 000007